(57)【要約】  【課題】肌触りのよい感触のよい柔軟性を備えた引手を長期にわたって安定した状態を維持できるスライドファスナー用スライダーの引手を提供する。  【解決手段】  引手本体１の一端に取付部５を設け、他端にカバー２を嵌挿できる挿入部６を形成し、挿入部６に透孔部１４を設け、透孔部１４の孔縁に表裏へ突出する突部１１を設け、突部１１と透孔部１４によりカバー２の抜止部１０を形成し、カバー２は柔軟性素材から形成し、挿入部６の外形と一致する収容部２２を設け、収容部２２は一面が平坦で他面が切欠部１６に嵌入できる嵌合部２３を設けて被抜止部２１を形成し、挿入部６にカバー２を嵌挿し透孔部１４と嵌合部２３を嵌合させ、収容部２２を突部１１が圧迫して食い込みカバーの抜脱を防いだ引手である。  【選択図】  図７
2005080706.tif 000002
【特許請求の範囲】
【請求項１】
一端に取付部５、他端側に挿入部６を有する引手本体１において、挿入部６に柔軟性素材から形成したカバー２を嵌挿し、挿入部６にカバー抜脱阻止用の抜止部１０を複数個配設したことを特徴とするスライドファスナー用スライダーの引手。
【請求項２】
抜止部１０は挿入部６の面上に突出する突部１１を設けてなる請求項１記載のスライドファスナー用スライダーの引手。
【請求項３】
抜止部１０は挿入部６に貫通する透孔部１４を設けてなる請求項１記載のスライドファスナー用スライダーの引手。
【請求項４】
抜止部１０は挿入部６に凹陥部１５を設けてなる請求項１記載のスライドファスナー用スライダーの引手。
【請求項５】
抜止部１０は挿入部６の側縁に表面へ突出する突条部１７を設けてなる請求項１記載のスライドファスナー用スライダーの引手。  
【請求項６】
抜止部１０は挿入部６の側面に側方へ突出する突起１３を設けてなる請求項１記載のスライドファスナー用スライダーの引手。
【請求項７】
抜止部１０は挿入部６に切欠部１６を設けてなる請求項１記載のスライドファスナー用スライダーの引手。
【請求項８】
抜止部１０は、請求項２乃至７記載の抜止部１０を挿入部６に複数併設してなる請求項１記載のスライドファスナー用スライダーの引手。
【請求項９】
カバー２は挿入部６を収容する収容部２２を有し、収容部２２の内面に抜止部１０と嵌合する被抜止部２１を設けてなる請求項１記載のスライドファスナー用スライダーの引手。
【請求項１０】
カバー２は挿入部６を収容する収容部２２を有し、収容部２２の内面が抜止部１０に圧着してなる請求項１記載のスライドファスナー用スライダーの引手。
【発明の詳細な説明】
【技術分野】
【０００１】
この発明は、スライドファスナー用スライダーにおける引手であって、引手は引手本体と引手本体を被覆するカバーとから形成した引手に関するものである。
【背景技術】
【０００２】
従来の衣服などに用いられるスライドファスナーにおけるスライダーの引手を肌触りや摘んだ時の感触を良くするために、引手の周囲を柔軟な弾力性のある素材で被覆し、または引手の端部に柔軟な弾力性のある素材を接続して用いる引手が知られている。
【０００３】
一例として、図３３に示すように、スライダーの引手は、引手および取付体から形成し、引手の端部に係止孔と係止突起を設け、取付体は本体とクリップから形成し、この本体はポリウレタン、シリコーンゴム、熱可塑性エラストマーの成形体から形成し、本体の一端にクリップ挿入孔を設け、この挿入孔にＵ字状のクリップの端部を埋装し、クリップの内面に掛止部を突設し、本体のクリップ挿入孔に引手を挿入し、クリップの掛止部を引手の係止孔と係止突起に係合させて固定したスライドファスナー用スライダーの引手が知られている。
【０００４】
また、図３４に示すように、スライダーの胴体への取付側が細く反対の先端側へ向けて漸次太く形成し中央から先端へ向け漸次細く形成し外形がなだらかに湾曲する形のスライダーの引手にポリウレタン、シリコーンゴム、熱可塑性エラストマーの成形体から形成した引手カバーを被覆し、肌触りや感触のよい引手に仕上げたスライドファスナー用スライダーの引手が知られている。
【特許文献１】米国特許第４８７３７５０号明細書
【特許文献２】実用新案登録第３０８５５４６号公報
【発明の開示】
【発明が解決しようとする課題】
【０００５】
前述の図３３に示したスライドファスナー用スライダーの引手が、引手と取付体とから形成され、取付体は本体とクリップとから形成され、取付体を作製するには、本体とクリップとを組み立てるための工程が必要となり、取付体の作製に手数と時間を要し、短期間で作製することは難しいなど問題点がある。
【０００６】
また、図３４に示したスライドファスナー用スライダーの引手は、外形がなだらかに湾曲する形状であるため、柔軟な弾力性を備えたカバーを被覆しても、使用中にカバーが滑動して容易に引手から抜脱する恐れがあるなど問題点がある。
【０００７】
この発明は、上述の問題点を考慮して発明されたものであり、請求項１記載の発明は、引手が肌触りのよい感触のよい柔軟性を備え引手本体とカバーとが長期にわたって安定した状態を維持し、顧客の要望に即応できるスライドファスナー用スライダーの引手を提供することが主たる目的である。
【０００８】
請求項２乃至８記載の発明は、それぞれ請求項１記載の発明の目的に加え、引手本体にカバーを嵌挿後は強固にカバーを固定し、カバーの抜脱または回動を阻止することができる手段を施した引手本体を具備したスライドファスナー用スライダーの引手を提供することが目的である。
【０００９】
請求項９および１０記載の発明は、それぞれ請求項１記載の発明の目的に加え、引手本体にカバーを嵌挿後はカバーを強固に引手本体に固定し、カバーの抜脱または回動を阻止できるカバーを具備したスライドファスナー用スライダーの引手を提供することが目的である。
【課題を解決するための手段】
【００１０】
前記の目的を達成するため、この発明のうち請求項１記載の発明は、引手を形成する引手本体１とカバー２とにおいて、引手本体１は一端にスライダー胴体３０へ取り付けるための取付部５を設け、他端側にカバー２を嵌挿できる挿入部６を有し、この挿入部６にはカバー２が抜脱するのを防ぐための機構を備えた抜止部１０を複数個配設したスライドファスナー用スライダーの引手を主な構成とするものである。
【００１１】
請求項２乃至８記載の発明は、それぞれ請求項１記載の発明の構成に加え、引手本体１の挿入部６に設置するカバー抜脱阻止用の抜止部１０を挿入部６の面上または側縁あるいは側面において表面へ突出する突部１１、突起１３、突条部１７、膨大部１８を突設するか、あるいは挿入部６の面上または側面に透孔部１４、凹陥部１５、切欠部１６を設けて抜止部１０を形成するか、またはこれらの抜止部１０を併設したスライドファスナー用スライダーの引手である。
【００１２】
請求項９および１０記載の発明は、それぞれ請求項１記載の発明の構成に加え、引手本体１の挿入部６に嵌挿するカバー２は、挿入部６を収容する収容部２２を有し、収容部２２の内面に抜止部１０と嵌合する被抜止部２１を設けるか、または収容部２２の内面が抜止部１０に圧着できるカバー２に形成したスライドファスナー用スライダーの引手である。
【発明の効果】
【００１３】
この出願の発明の効果として、請求項１記載の発明は、一端に取付部、他端側に挿入部を有する引手本体において、挿入部に柔軟性素材から形成したカバーを嵌挿し、挿入部にカバー抜脱阻止用の抜止部を複数個配設したことによって、引手本体からカバーが抜脱することを阻止し、各々の組付け状態を安定して維持できる効果がある。
【００１４】
請求項２乃至８記載の発明は、それぞれ請求項１記載の発明の効果に加え、抜止部として挿入部の面上または側縁あるいは側面において表面へ突出する突部、突起、突条部、膨大部を設け、さらには挿入部の面上または側面に、透孔部、凹陥部、切欠部を設けたことによって、引手本体に形成した抜止部に柔軟性素材から形成したカバーを確実かつ強固に拘止してカバーの抜脱または回動を阻止し、柔軟性のある品質のよい引手に仕上げることができる効果がある。
【００１５】
請求項９および１０記載の発明は、それぞれ請求項１記載の発明の効果に加え、カバーは挿入部を収容する収容部を有し、収容部の内面に抜止部と嵌合する被抜止部を設けるか、または収容部の内面が抜止部に圧着したことによって、引手本体に形成した抜止部に対し、柔軟性素材から形成したカバーを有効かつ強固に装着し、または圧着してカバーの抜脱あるいは回動を阻止し、柔軟性のある品質のよい引手に簡易に仕上げることができる効果があるなど、この発明が奏する効果はきわめて顕著である。
【発明を実施するための最良の形態】
【００１６】
この発明のスライドファスナー用スライダーの引手は、引手本体１とカバー２とから形成し、引手本体１はアルミニウム合金、亜鉛合金などの金属を用いてダイカスト手段により成形し、引手本体１は一端にスライダー胴体３０へ取り付けるための取付部５と他端側にカバー２を嵌挿するための挿入部６を形成し、挿入部６には各種形状のカバー２の抜脱阻止用の抜止部１０を形成し、抜止部１０は突部１１、突起１３、突条部１７、膨大部１８、または透孔部１４、凹陥部１５、切欠部１６さらにこれらの抜止部１０を複数併設して形成する。カバー２は柔軟性素材としてポリウレタン、シリコーンゴム、熱可塑性エラストマーなどを用いて射出成形手段により形成し、カバー２は引手本体１の挿入部６へ嵌挿するための挿入孔２０を設け、この挿入孔２０の内面に抜止部１０に対応する被抜止部２１を設け、または挿入孔２０の内面に抜止部１０を圧迫して食い込ませ、引手本体１から柔軟で弾力性を備えたカバー２の抜脱を阻止することを図る。
【実施例１】
【００１７】
図１〜１０に示す実施例１のスライドファスナー用スライダーの引手について説明すると、引手は図２〜４に示すように引手本体１の一端に環状の取付部５を形成してスライダー胴体３０の引手取付部３１に取り付けることができるように形成する。引手本体１の他端側にはカバー２を嵌挿するための扁平形状の挿入部６を形成し、この挿入部６に表裏方向へ貫通する透孔部１４を穿設し、挿入部６の長さ方向に間隔を空けて複数の透孔部１４が設けられ、各透孔部１４は形状が異なり、挿入部６の先端寄りに設けられた透孔部１４は横長の長円形を呈し、取付部５寄りに設けられた透孔部１４は台形を呈する。また挿入部６の表裏面には複数の突部１１が突設され、突部１１は透孔部１４の孔縁に沿って配設され、挿入部６の幅方向に連続して突出している。さらに挿入部６の先端にやや幅広な膨大部１８を設け、膨大部１８の外側縁は円弧状を呈している。ここで複数の透孔部１４と突部１１および膨大部１８は、カバー２を挿入部６に嵌挿した際、カバー抜脱阻止用の抜止部１０を形成する。
【００１８】
一方、カバー２は図５，６に示すように引手本体１の挿入部６の形状と略合致する形状を呈し、挿入部６を収容することができる収容部２２を設け、収容部２２の一端に挿入部６を収容部２２内へ挿入するための挿入孔２０を設け、収容部２２の上下壁の内面のうち一面は平坦状に形成され、他面には挿入部６に設けた長円形および台形の透孔部１４にそれぞれ略一致する形状の嵌合部２３を突設し、収容部２２と嵌合部２３は、カバー２を挿入部６に嵌挿した際、カバー抜脱阻止用の被抜止部２１を形成する。なお、収容部２２の上下壁の両内面から対向して嵌合部２３を突設するものであってもよい。
【００１９】
上記の形態に形成した引手本体１とカバー２とは、図７，８に示すように引手本体１の挿入部６の先端の膨大部１８をカバー２の挿入孔２０に挿入し、挿入孔２０を弾性変形させて拡開することによって挿入する。この際挿入部６に形成した表面へ突出する突部１１は、カバー２の挿入孔２０を拡開しながら進入させ、挿入孔２０に突設した嵌合部２３が挿入部６に形成した透孔部１４に嵌入するまで押し込み、図９，１０に示すようにカバー２の嵌挿を完了する。
【００２０】
引手本体１の挿入部６にカバー２を嵌挿すると、図９，１０からも明らかなとおり、挿入部６に設けた長円形および台形の透孔部１４にそれぞれ対応する嵌合部２３が嵌入し、かつ収容部２２に透孔部１４の周囲を収容するとともに、この収容部２２の上下壁内面を突部１１が圧迫して食い込む。
【００２１】
上記のように突部１１、膨大部１８、透孔部１４からなる抜止部１０と収容部２２、嵌合部２３からなる被抜止部２１とは、互いに協働して引手本体１の挿入部６からカバー２が抜脱するのを完全に阻止する機能を有している。なお抜止部１０として働く透孔部１４の形状は、円形、長方形、三角形などの形状であってもよく、また膨大部１８の形状は矩形であってもよい。
【実施例２】
【００２２】
図１１〜１４に示す実施例２のスライドファスナー用スライダーの引手は、図１１，１２に示すように引手本体１は、一端に環状の取付部５、他端側に扁平形状の挿入部６を設け、挿入部６の先端にやや幅広で外側縁が円弧状を呈する膨大部１８を設け、挿入部６の表裏面には、挿入部６の長さ方向に間隔を空けて、挿入部６の先端寄りに長円形の凹陥部１５、また取付部５寄りに台形の凹陥部１５を凹設している。挿入部６の表裏面には、各凹陥部１５の縁部に沿って、挿入部６の幅方向に連続する突部１１が突設されている。凹陥部１５と突部１１および膨大部１８によって、カバー２の抜脱阻止用の抜止部１０を形成する。
【００２３】
カバー２は図１４に示すように収容部２２の上下壁の両内面に凹陥部１５に嵌入できる嵌合部２３を突設して被抜止部２１を形成する。カバー２に挿入部６を嵌挿すると、凹陥部１５に嵌合部２３が嵌入し、凹陥部１５の縁部に突設した突部１１は、図１４に示すようにカバー２の収容部２２の壁面を圧迫して食い込み、挿入部６からカバー２が抜脱するのを未然に防ぐものである。
【実施例３】
【００２４】
図１５，１６に示す実施例３のスライドファスナー用スライダーの引手は、図１５に示すように引手本体１の一端に環状の取付部５を設け、他端側に扁平形状の挿入部６を設け、挿入部６の先端にやや幅広で外側縁が円弧状を呈する膨大部１８を設け、挿入部６の長さ方向に間隔を空けて、挿入部６の先端寄りに長円形の透孔部１４を、取付部５寄りに台形の透孔部１４を穿設している。また挿入部６の表裏面には、各透孔部１４の孔縁に沿って、挿入部６の幅方向に連続する突部１１が突設し、さらに挿入部６の両側面に取付部５側が垂直で膨大部１８側が傾斜する小突起の突起１３を挿入部６の長さ方向に間隔を空けて複数個突設し、これら透孔部１４、表裏へ突出する突部１１および両側面の突起１３はそれぞれカバー２の抜脱阻止用の抜止部１０を形成する。
【００２５】
カバー２は収容部２２の上下壁の一面に長円形および台形の透孔部１４に嵌入できる嵌合部２３を突設する。カバー２を挿入部６に嵌挿したとき、表裏へ突出する突部１１および両側面に突設した突起１３は、収容部２２の上下壁を圧迫して食い込み、カバー２の挿入部６からの抜脱を阻止するものである。
【実施例４】
【００２６】
図１７〜２２に示す実施例４のスライドファスナー用スライダーの引手は、図１７，１８に示すように引手本体１の一端に取付部５を設け、他端へ向けてやや細くなる形状に形成し、両側面に取付部５側が傾斜し先端側が垂直なくびれた切欠部１６を挿入部６の長さ方向に間隔を空けて複数個設けて挿入部６の幅を局部的に狭くしている。挿入部６の幅広い部分の表裏面に取付部５側が垂直で先端側が傾斜する小突条の突部１１を突設し、先端部分にやや大きく突出する突部１１を形成し、これら突部１１および切欠部１６は、カバー２の挿入部６からの抜脱を阻止する抜止部１０を形成する。
【００２７】
一方、カバー２は図１９，２０に示すように、カバー２の平面形状は長方形であり、側面形状は先端側がやや太くなる形に形成し、挿入孔２０は平面的には挿入部６の外形に一致する形状の収容部２２を設け、収容部２２の両側面に切欠部１６に嵌入する嵌合部２３を設け、収容部２２の上下壁の内面は平坦面に形成する。
【００２８】
カバー２の挿入孔２０に引手本体１の挿入部６を嵌挿するには、挿入孔２０を弾性変形させて収容部２２へ挿入部６を挿入し、切欠部１６に嵌合部２３を嵌入させて固定し、収容部２２の上下壁に対しては、挿入部６の表裏に突設した突部１１が圧迫して食い込み、カバー２が挿入部６から抜脱するのを阻止するものである。
【実施例５】
【００２９】
図２３〜２５に示す実施例５のスライドファスナー用スライダーの引手は、引手本体１の一端にクランパーに取り付けるためのＵ形の取付部５を設け、この取付部５から他端に向けて途中で太くなるなだらかな扁平形、円形、長円形などの断面形状の挿入部６を形成し、挿入部６の表裏面に取付部５側が傾斜し、先端側が垂直に凹欠した切欠部１６を複数個凹設する。
【００３０】
カバー２は引手本体１の挿入部６に合致する収容部２２と嵌合部２３とを内設し、カバー２の挿入孔２０から挿入部６を挿入し、カバー２を弾性変形させて嵌挿し、嵌合部２３と切欠部１６とを嵌合させてカバー２を挿入部６から抜脱するのを阻止したものである。
【実施例６】
【００３１】
実施例６としてあげた図２６に示す引手本体１は、引手本体１の変形例を示すものであり、引手本体１は、一端に取付部５、他端側に挿入部６を設け、挿入部６は先端に膨大部１８を形成し、この膨大部１８の内側に長円形の透孔部１４を設け、この透孔部１４の先端縁に表裏へ突出する突部１１を突設した引手本体１であり、カバー２は収容部２２の上下壁の一面に１個の透孔部１４に嵌合できる嵌合部２３を設けている。この形態の引手は挿入部６からカバー２が抜脱するのを阻止するのは、挿入部６に形成した突部１１、透孔部１４および膨大部１８の複数個の抜止部１０と、カバー２の収容部２２および嵌合部２３の複数の被抜止部２１が互いに協働して挿入部６からカバー２が抜脱するのを阻止するものである。
【実施例７】
【００３２】
実施例７としてあげた図２７に示す引手本体１は、引手本体１の挿入部６に設置する抜止部１０の変形例を示すものであり、扁平形状の挿入部６の先端に外側縁が円弧状を呈する膨大部１８を設け、挿入部６の長さ方向に間隔を空けて、挿入部６の先端寄りに長円形の透孔部１４、取付部５寄りに台形の透孔部１４をそれぞれ設ける。透孔部１４と膨大部１８とによって、カバー２の挿入部６からの抜脱を阻止する抜止部１０を形成したものである。
【実施例８】
【００３３】
実施例８としてあげた図２８に示す引手本体１は、引手本体１の挿入部６に設置する抜止部１０の変形例を示すものであり、挿入部６の先端に外側縁が円弧状を呈する膨大部１８を設け、この挿入部６の表裏面に取付部５側が垂直で先端側が傾斜する小突条の突部１１を突設して、カバー２の挿入部６からの抜脱を阻止する抜止部１０を形成したものである。
【実施例９】
【００３４】
実施例９としてあげた図２９に示す引手本体１は、引手本体１の挿入部６に設置する抜止部１０の変形例を示すものであり、挿入部６は平面形状が長方形を呈し、挿入部６の表裏面に取付部５側が垂直で先端側が傾斜する小突条の突部１１を突設し、さらに両側縁に取付部５側が垂直で先端側が傾斜する小突起状の突起１３を突設して、カバー２の挿入部６からの抜脱を阻止する抜止部１０を形成したものである。
【実施例１０】
【００３５】
実施例１０としてあげた図３０に示す引手本体１は、引手本体１の挿入部６に設置する抜止部１０の変形例を示すものであり、挿入部６は取付部５側が幅広く先端側に向けて漸次幅狭くなる長台形の挿入部６を形成し、この挿入部６の両側縁に取付部５側が傾斜し先端側が垂直な切欠部１６を複数凹設し、挿入部６の先端内側に台形の透孔部１４を穿設する。これら切欠部１６と透孔部１４とがカバー２を挿入部６から抜脱するのを阻止する抜止部１０を形成したものである。
【実施例１１】
【００３６】
実施例１１としてあげた図３１に示す引手本体１は、引手本体１の挿入部６に設置する抜止部１０の変形例を示すものであり、実施例１と同様に、扁平形状の挿入部６には先端に外側縁が円弧状を呈する膨大部１８を設け、挿入部６の長さ方向に間隔を空けて、挿入部６の先端寄りに長円形の透孔部１４、取付部５寄りに台形の透孔部１４をそれぞれ設ける。透孔部１４の孔縁に沿って配され、挿入部６の幅方向に連続する突部１１を突設する。この実施形態の特徴は、抜止部１０としての突部１１、透孔部１４、膨大部１８に加えて、挿入部６の両側縁部に連続して表裏へ突出する長尺の突条部１７を突設して抜止部１０を形成する。
【００３７】
カバー２は、図５，６に示すカバー２あるいは図１４に示すカバー２と略同一形状であり、このカバー２を挿入部６に嵌挿すると、挿入部６の面上に設置した突部１１が収容部２２の上下壁内面に圧迫して食い込み、また透孔部１４と収容部２２の内面に突設した嵌合部２３とが嵌り合い、突部１１と透孔部１４および膨大部１８によって、カバー２は引手の引っ張り方向への抜脱を阻止するとともに、挿入部６の両側縁に突設した突条部１７が収容部２２の上下壁の内面を圧迫することにより、引手に捻り方向の力が作用しても、カバー２は引手本体１に対して回動する動作が阻止される。従ってこの引手本体１の形態は、カバー２が引手本体１から抜脱するのを阻止するばかりでなく、カバー２が引手本体１に対して回動することも阻止できる利点がある。
【実施例１２】
【００３８】
実施例１２としてあげた図３２に示す引手本体１は、引手本体１の挿入部６に設置する抜止部１０の変形例を示すものであり、引手本体１の外形は挿入部６の両側面に長さ方向に間隔を空けて複数の切欠部１６を凹設した形状は、実施例４の図１７に示す引手本体１と同一形状であり、この引手本体１の挿入部６に表裏へ突出する図１７と同様の突部１１を数個突設し、この突部１１間であって両側の切欠部１６の間に台形を呈する透孔部１４を穿設する。そして両側の外側縁に表裏へ突出する断片状の突条部１７を数個突設して抜止部１０を形成する。
【００３９】
カバー２は、図１９，２０に示すカバー２と略同一の形態であるが、カバー２の収容部２２の一面または両面に挿入部６に設けた台形の透孔部１４に嵌入できる嵌合部２３を突設した形態が多少異なる。このカバー２を挿入部６に嵌挿すると、挿入部６の面上に設置した突部１１と透孔部１４に対し、カバー２の内面に突設した嵌合部２３が透孔部１４に嵌入し、またカバー２の収容部２２の両側に突設した嵌合部２３が挿入部６の両側面に形成した切欠部１６に嵌入し、かつ突部１１が収容部２２の上下壁の内面を圧迫することにより、カバー２は引手の引っ張り方向へ抜脱するのを確実に阻止するとともに、挿入部６の両側縁に断片状に表裏へ突設した突条部１７が収容部２２の上下壁の内面を圧迫することによって、カバー２が引手の捻り方向へ回動することを確実に阻止できる利点がある。
【産業上の利用可能性】
【００４０】
この発明のスライドファスナー用スライダーの引手の活用例として、衣服全般は勿論、特に幼児用、老人用向けの衣服に最適であり、その他バッグ、ケース、シューズなどの開口部に取り付けて用いる。
【図面の簡単な説明】
【００４１】
【図１】スライドファスナー用スライダーの正面図である。（実施例１）
【図２】引手の分解斜視図である。（実施例１）
【図３】引手本体の正面図である。（実施例１）
【図４】引手本体の図３におけるＡ−Ａ断面図である。（実施例１）
【図５】カバーの図６におけるＣ−Ｃ断面図である。（実施例１）
【図６】カバーの図５におけるＢ−Ｂ断面図である。（実施例１）
【図７】引手本体にカバーを嵌挿する初期の状態を示す要部断面図である。（実施例１）
【図８】引手本体とカバーの図７におけるＤ−Ｄ拡大断面図である。（実施例１）
【図９】引手本体にカバーを嵌挿した状態を示す要部断面図である。（実施例１）
【図１０】引手本体とカバーの図９におけるＥ−Ｅ拡大断面図である。（実施例１）
【図１１】引手本体の斜視図である。（実施例２）
【図１２】引手本体の断面図である。（実施例２）
【図１３】引手本体の要部拡大断面図である。（実施例２）
【図１４】引手本体とカバーの嵌挿時の要部拡大断面図である。（実施例２）
【図１５】引手本体の正面図である。（実施例３）
【図１６】引手本体とカバーの嵌挿時の要部拡大断面図である。（実施例３）
【図１７】引手本体の正面図である。（実施例４）
【図１８】引手本体における図１７のＦ−Ｆ断面図である。（実施例４）
【図１９】カバーの図２０におけるＧ−Ｇ断面図である。（実施例４）
【図２０】カバーの図１９におけるＨ−Ｈ断面図である。（実施例４）
【図２１】引手本体とカバーの嵌挿時の断面図である。（実施例４）
【図２２】引手本体とカバーの嵌挿時の図２１におけるＩ−Ｉ拡大断面図である。（実施例４）
【図２３】引手本体の側面図である。（実施例５）
【図２４】引手本体の図２３におけるＪ−Ｊ断面図である。（実施例５）
【図２５】引手本体とカバーの嵌挿時の断面図である。（実施例５）
【図２６】引手本体の斜視図である。（実施例６）
【図２７】引手本体の部分正面図である。（実施例７）
【図２８】引手本体の部分正面図である。（実施例８）
【図２９】引手本体の部分正面図である。（実施例９）
【図３０】引手本体の部分正面図である。（実施例１０）
【図３１】引手本体の斜視図である。（実施例１１）
【図３２】引手本体の斜視図である。（実施例１２）
【図３３】公知の引手における引手と取付体の対応状態を示す断面図である。
【図３４】他の公知のスライドファスナーの正面図である。
【符号の説明】
【００４２】
１            引手本体
２            カバー
５            取付部
６            挿入部
１０            抜止部
１１            突部
１３            突起
１４            透孔部
１５            凹陥部
１６            切欠部
１７            突条部
１８            膨大部
２０            挿入孔
２１            被抜止部
２２            収容部
【図１】
2005080706.tif 000003
【図２】
2005080706.tif 000004
【図３】
2005080706.tif 000005
【図４】
2005080706.tif 000006
【図５】
2005080706.tif 000007
【図６】
2005080706.tif 000008
【図７】
2005080706.tif 000009
【図８】
2005080706.tif 000010
【図９】
2005080706.tif 000011
【図１０】
2005080706.tif 000012
【図１１】
2005080706.tif 000013
【図１２】
2005080706.tif 000014
【図１３】
2005080706.tif 000015
【図１４】
2005080706.tif 000016
【図１５】
2005080706.tif 000017
【図１６】
2005080706.tif 000018
【図１７】
2005080706.tif 000019
【図１８】
2005080706.tif 000020
【図１９】
2005080706.tif 000021
【図２０】
2005080706.tif 000022
【図２１】
2005080706.tif 000023
【図２２】
2005080706.tif 000024
【図２３】
2005080706.tif 000025
【図２４】
2005080706.tif 000026
【図２５】
2005080706.tif 000027
【図２６】
2005080706.tif 000028
【図２７】
2005080706.tif 000029
【図２８】
2005080706.tif 000030
【図２９】
2005080706.tif 000031
【図３０】
2005080706.tif 000032
【図３１】
2005080706.tif 000033
【図３２】
2005080706.tif 000034
【図３３】
2005080706.tif 000035
【図３４】
2005080706.tif 000036